(57)【要約】【課題】本開示は、組み立てが比較的容易なケースを提供することを目的とする。【解決手段】上記課題を解決するために、本開示に関するケースは、法線方向に曲げることが可能な板材と、板材の面外に板材と一体に構成され、周囲の一部又は全部に曲線形状を有する底面部と、を備え、底面部は、周囲の一部又は全部に側壁を有し、ケースとして組み立てられた際に、側壁の一部又は全部と、板材の一部とが当接するように側壁と板材とは形成される。本開示によれば、組み立てが比較的容易なケースを提供できる。【選択図】図１
2015166246.tif 000002
【特許請求の範囲】
【請求項１】
法線方向に曲げることが可能な板材と、
前記板材の面外に前記板材と一体に構成され、周囲の一部又は全部に曲線形状を有する底面部と、を備え、
前記底面部は、周囲の一部又は全部に側壁を有し、
ケースとして組み立てられた際に、前記側壁の一部又は全部と、前記板材の一部とが当接するように前記側壁と前記板材とは形成される、
ケース。
【請求項２】
前記底面部は第１の接合部を有し、
前記板材は前記第１の接合部と接合する第１の被接合部を有する、
請求項１に記載のケース。
【請求項３】
前記板材の面外に前記板材と一体に構成され、周囲の形状が前記底面部と同一の形状である蓋部をさらに備え、
前記蓋部は第２の接合部を有し、
前記板材は前記第２の接合部と接合する第２の被接合部を有する、
請求項２に記載のケース。
【発明の詳細な説明】
【技術分野】
【０００１】
本開示はケースに関する。
【背景技術】
【０００２】
特許文献１は、筒形包装箱を開示する。この筒形包装箱は、側板と蓋板と底板とを有する。蓋板と底板とは、それぞれ側板の上縁と下縁とに連設されている。側板の両端同士は係止可能に形成されている。側板は複数の係止片を有する。底板は側板の係止片に対応したスリットを複数有する。側板の複数の係止片を底板の複数のスリットに挿入することで、側板を底板の法線方向に立ち上げさせ、かつ、側板を底板に組み付けることができる。
【０００３】
これにより、この筒形包装箱は、１回のブランクシートの打ち抜きで形成できる。また、この筒形包装箱を組み立てる際に、接合に必要な部材を揃える必要もない。
【先行技術文献】
【特許文献】
【０００４】
【特許文献１】実開昭６３−９９８１７号公報
【発明の概要】
【発明が解決しようとする課題】
【０００５】
しかしながら、上記特許文献１に開示されている筒形包装箱を組み立てるためには、複数の係止片を複数のスリットに挿入する必要がある。複数の係止片を複数のスリットに挿入するのは手間であり、量産に向かない。
【０００６】
本開示は、組み立てが比較的容易なケースを提供することを目的とする。
【課題を解決するための手段】
【０００７】
上記課題を解決するために、本開示に関するケースは、法線方向に曲げることが可能な板材と、板材の面外に板材と一体に構成され、周囲の一部又は全部に曲線形状を有する底面部と、を備え、底面部は、周囲の一部又は全部に側壁を有し、ケースとして組み立てられた際に、側壁の一部又は全部と、板材の一部とが当接するように側壁と板材とは形成される。
【発明の効果】
【０００８】
本開示によれば、組み立てが比較的容易なケースを提供できる。
【図面の簡単な説明】
【０００９】
【図１】実施の形態１にかかるケースに商品を入れた状態を示す斜視図
【図２】実施の形態１にかかるケースの展開図
【図３】実施の形態１における下蓋と上蓋とを示す斜視図
【図４】実施の形態１にかかるケースを２つ重ねた状態の斜視図
【図５】実施の形態１にかかる胴体の斜視図
【図６】実施の形態１にかかる胴体を貼合した状態を示すケースの斜視図
【図７】実施の形態１にかかる下蓋と上蓋とを閉じた状態を示すケースの斜視図
【図８】実施の形態１にかかる羽部をスリットに挿入した状態のケースの斜視図
【図９】比較対象の構成を説明するための斜視図
【図１０】比較対象の構成を説明するための斜視図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって特許請求の範囲に記載の主題を限定することを意図するものではない。
【００１２】
１．実施の形態１
１−１．概要
ケース１００の概要について図１、図２を用いて説明する。図１は、ケース１００に商品を入れた状態を示す斜視図である。図２は、ケース１００の展開図である。ケース１００は、例えば、内部にヘッドホン５００のような電子機器を収納できる。ケース１００は、さらに中箱５１０や中箱５２０を収納することで、内部でヘッドホン５００を固定できる。ケース１００のようなケースは、工場で量産され組み立てられることが多い。従って、ケース１００のようなケースは、簡単に組み立てられることが求められる。
【００１３】
ケース１００は、胴体１３０と下蓋１１０とを備える。胴体１３０は、法線方向に曲げることが可能である。下蓋１１０は、胴体１３０の面外に胴体１３０と一体に構成され、周囲の一部又は全部に曲線形状を有する。下蓋１１０は、周囲の一部又は全部に側壁１１１を有する。側壁１１１と胴体１３０とは、ケースとして組み立てられた際に、側壁１１１の一部又は全部と、胴体１３０の一部とが当接するように形成される。
【００１４】
ケース１００がこのような構成を有するため、組立作業者は、ケース１００を簡単に組み立てることができる。以下、ケース１００の詳細、及びケース１００を組立作業者が簡単に組み立てられる理由を説明する。
【００１５】
１−２．組み立て前のケースの構成
組み立て前のケース１００の構成について、図２〜５を用いて説明する。図３は、下蓋１１０と上蓋１２０とを示す斜視図である。図４は、ケース１００を２つ重ねた状態の斜視図である。図５は、胴体１３０の斜視図である。以下、全体構成、下蓋、上蓋、胴体の順に構成を説明する。
【００１６】
１−２−１．全体構成
全体構成について図２を用いて説明する。ケース１００は、下蓋１１０、上蓋１２０、及び胴体１３０を有する。下蓋１１０と上蓋１２０と胴体１３０とは、一体で構成される。下蓋１１０と上蓋１２０と胴体１３０とは、例えば合成樹脂で構成される。胴体１３０は、例えば法線方向に曲げることが可能である。また、下蓋１１０は、胴体１３０に対して折り曲げることができる。上蓋１２０は、胴体１３０に対して折り曲げることができる。
【００１７】
１−２−２．下蓋の構成
次に、下蓋１１０の構成について図３を用いて説明する。下蓋１１０は、周囲の一部が曲線形状を有するトラック楕円形状である。なお、下蓋１１０は、必ずしもこのような構成でなくてもよい。例えば完全な円形であってもよし、トラック楕円を半分にしたような形状であってもよい。要するに、下蓋１１０は、周囲の一部若しくは全部が曲線形状を有すればよい。下蓋１１０は、側壁１１１を有する。側壁１１１は、底面に対して上側（底面の法線方向側）に盛り上がるように成型された側壁である。側壁１１１は、下蓋１１０の外周全体に延びているが、必ずしもこのような構成に限らない。部分的に側壁が設けられているような構成であってもよい。要するに、ケースとして組み立てられた際に、胴体１３０の全部又は一部に当接する側壁であればよい。下蓋１１０は、羽部１１２、及び羽部１１４を有する。羽部１１２及び羽部１１４は、下蓋１１０に対して折り曲げ可能なＴ字型のフラップ片である。下蓋１１０は、凹部１１５、凹部１１６、凹部１１７、及び凹部１１８を有する。凹部１１５、凹部１１６、凹部１１７、及び凹部１１８は、底面に対して下側（底面の法線方向側とは逆側）に窪むように成型された脚である。
【００１８】
１−２−３．上蓋の構成
次に、上蓋１２０の構成について図３を用いて説明する。上蓋１２０は、周囲の一部が曲線形状を有するトラック楕円形状である。なお、上蓋１２０は、必ずしもこのような構成でなくてもよい。例えば完全な円形であってもよし、トラック楕円を半分にしたような形状であってもよい。要するに、上蓋１２０は、周囲の一部若しくは全部が曲線形状を有すればよい。上蓋１２０と下蓋１１０とは、周囲の形状が同一である。上蓋１２０は、羽部１２２及び羽部１２４を有する。羽部１２２及び羽部１２４は、上蓋１２０に対して折り曲げ可能なＴ字型のフラップ片である。なお、羽部１２２及び羽部１２４の形状は必ずしもこのような形状である必要はない。例えばＬ字型であってもよい。要するに、受けて側に引っかかる構成であればどのような構成であってもよい。上蓋１２０は、溝１２６を有する。溝１２６は、天面に対して下側（天面の法線方向側）に窪むように成型された溝である。
【００１９】
なお、ケース１００を積み重ねた際に、凹部１１５、凹部１１６、凹部１１７及び凹部１１８は、図４に示すように、溝１２６に嵌る。これにより、凹部１１５、凹部１１６、凹部１１７及び凹部１１８は、溝１２６に固定される。
【００２０】
１−２−４．胴体の構成
次に、胴体１３０の構成について図５を用いて説明する。胴体１３０は、スリット１３１、スリット１３３、スリット１３５、及びスリット１３７を有する。スリット１３１は、羽部１２２を挿入される孔である。スリット１３１は、二つの孔で構成される。スリット１３１を構成する夫々の孔に、羽部１２２のＴ字の両端部分の夫々が係合される。これにより、胴体１３０と上蓋１２０とは接合される。スリット１３３は、羽部１２４を挿入される孔である。スリット１３５は、羽部１１２を挿入される孔である。スリット１３７は、羽部１１４を挿入される孔である。
【００２１】
胴体１３０は、突起１３２、突起１３４、突起１３６、及び突起１３８を有する。突起１３２、突起１３４、突起１３６、及び突起１３８は、胴体１３０の法線方向に盛り上がった突起である。突起１３２は、凹部１１５の空間に収まる。突起１３４は、凹部１１６の空間に収まる。突起１３６は、凹部１１８の空間に収まる。突起１３８は、凹部１１７の空間に収まる。
【００２２】
１−３．組み立て手順
次に、ケース１００の組み立て手順について図６〜８を用いて説明する。図６は、胴体１３０を貼合した状態を示すケース１００の斜視図である。図７は、下蓋１１０と上蓋１２０とを閉じた状態を示すケース１００の斜視図である。図８は、羽部１１２、羽部１１４、羽部１２２、及び羽部１２４をスリットに挿入した状態のケース１００の斜視図である。
【００２３】
組立作業者は、まず、図６に示すように、胴体１３０の両端を貼合する。組立作業者は、糊付けする幅に気をつける。
【００２４】
次に、組立作業者は、胴体１３０に下蓋１１０及び上蓋１２０を嵌め込む。これにより、図７のような状態となる。下蓋１１０が側壁１１１を、また、上蓋１２０が溝１２６を有することで、組立作業者は、胴体１３０を側壁１１１や溝１２６に沿わせるだけで、トラック楕円という形状のケースを簡単に組み立てられる。また、胴体１３０、下蓋１１０、上蓋１２０が一体的に構成されていることにより、貼合部の位置を下蓋１１０、上蓋１２０との関係で一定の位置とすることができる。例えば、胴体１３０にブランド名をプリントするような場合には、ケース全体におけるブランド名の位置を確実に決めることができる。
【００２５】
次に、組立作業者は、各スリットに羽部１１２、羽部１１４、羽部１２２、及び羽部１２４を挿入する。これにより、図８のような状態となる。羽部１１２、羽部１１４、羽部１２２、及び羽部１２４を各スリットに挿入することで、下蓋１１０及び上蓋１２０が胴体１３０から外れにくくなる。具体的には、ケース１００の上蓋１２０に紐を取り付け、壁にぶら下げたような場合、上蓋１２０が胴体１３０から外れにくい。また、ケース１００内に商品を収納したとしても、下蓋１１０が胴体１３０から外れにくい。
【００２６】
仮に、羽部１１２、羽部１１４、羽部１２２、及び羽部１２４がなかったとする。この場合には、図９に示すように、胴体１３０が、下蓋１１０及び上蓋１２０に対して特定の位置に安定せず、ねじれてしまう恐れがある。この場合には、中に商品を入れ辛いので作業性が低下する恐れがある。また、商品を入れた後に、図１０に示すように上蓋や下蓋が外れてしまう恐れがある。
【００２７】
１−４．用語の対応
本実施の形態にかかる胴体１３０は、板材の一例である。本実施の形態にかかる下蓋１１０は、底面部の一例である。本実施の形態にかかる側壁１１１は、側壁の一例である。本実施の形態にかかる羽部１１２及び羽部１１４は、第１の接合部の一例である。本実施の形態にかかるスリット１３５及びスリット１３７は、第１の被接合部の一例である。本実施の形態にかかる上蓋１２０は、蓋部の一例である。本実施の形態にかかる羽部１２２及び羽部１２４は、第２の接合部の一例である。本実施の形態にかかるスリット１３１及びスリット１３３は、第２の被接合部の一例である。
【００２８】
以上のように、添付図面および詳細な説明によって、ベストモードと考える実施の形態を提供した。これは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００２９】
本開示は、電子機器を収納するケースや、ブラシや化粧品等の日用品や食品を収納するケース等に適用できる。
【符号の説明】
【００３０】
１００  ケース
１１０  下蓋
１１１  側壁
１１２  羽部
１１４  羽部
１１５  凹部
１１６  凹部
１１７  凹部
１１８  凹部
１２０  上蓋
１２２  羽部
１２４  羽部
１２６  溝
１３０  胴体
１３１  スリット
１３２  突起
１３３  スリット
１３４  突起
１３５  スリット
１３６  突起
１３７  スリット
１３８  突起
５００  ヘッドホン
５１０  中箱
５２０  中箱
【図１】
2015166246.tif 000003
【図２】
2015166246.tif 000004
【図３】
2015166246.tif 000005
【図４】
2015166246.tif 000006
【図５】
2015166246.tif 000007
【図６】
2015166246.tif 000008
【図７】
2015166246.tif 000009
【図８】
2015166246.tif 000010
【図９】
2015166246.tif 000011
【図１０】
2015166246.tif 000012